(57)【特許請求の範囲】
【請求項１】
所望チャンネルに隣接して不所望チャンネルが存在する複数チャンネルのテレビジョン信号が供給され、自動利得制御信号に応じて利得を調整して、前記複数チャンネルのテレビジョン信号を出力する利得調整手段と、
この利得調整手段から出力された複数チャンネルのテレビジョン信号のうち前記所望チャンネルのレベルを検出した所望チャンネルレベル検出信号を生成する所望チャンネルレベル検出手段と、
前記所望チャンネルレベル検出信号が自動利得制御用基準信号に等しくなるように前記自動利得制御信号を生成して、前記利得調整手段に供給する自動利得制御手段と、
前記利得調整手段の出力信号が供給され、スケルチ制御信号の供給に応じてスケルチ動作するスケルチ手段と、
前記所望チャンネルレベル検出信号が、前記自動利得制御用基準信号よりも値を小さく設定した所望チャンネルスケルチ用基準信号よりも小さいとき、前記スケルチ制御信号を前記スケルチ手段に供給して、前記スケルチ手段に前記スケルチ動作させる所望チャンネルスケルチ制御手段と、
前記利得調整手段から出力された複数チャンネルのテレビジョン信号のうち前記不所望チャンネルのレベルを検出した不所望チャンネルレベル検出信号を生成する不所望チャンネルレベル検出手段と、
前記不所望チャンネルレベル検出信号が、前記所望チャンネルスケルチ用基準信号及び前記自動利得制御用基準信号よりも値を大きく設定した不所望チャンネルスケルチ用基準信号よりも大きいとき、前記スケルチ制御信号を生成して、前記スケルチ手段に前記スケルチ動作させる不所望チャンネルスケルチ制御手段とを、
具備する単一チャンネル増幅器。
【請求項２】
請求項１記載の単一チャンネル増幅器において、前記利得調整手段の出力側に前記所望チャンネル及び前記不所望チャンネルのテレビジョン信号を抽出する第１のフィルタ手段が設けられ、前記第１のフィルタ手段の出力信号が前記不所望チャンネルレベル検出手段に供給され、前記第１のフィルタ手段の出力から前記所望チャンネルテレビジョン信号を抽出する第２のフィルタ手段が設けられ、第２のフィルタ手段の出力信号が前記所望チャンネルレベル検出手段に供給されている単一チャンネル増幅器。
【請求項３】
請求項２記載の単一チャンネル増幅器において、前記利得調整手段の出力信号が中間周波信号に周波数変換された後に、前記第１のフィルタ手段に供給され、前記第１のフィルタ手段の出力信号が増幅手段によって増幅された後、前記不所望チャンネルレベル検出手段及び前記所望チャンネルレベル検出手段に供給される単一チャンネル増幅器。
【発明の詳細な説明】
【技術分野】
【０００１】
本発明は、複数のテレビジョン信号のうち特定の１波のテレビジョン信号を増幅して出力する単一チャンネル増幅器に関し、特に、スケルチ手段を備えたものに関する。
【背景技術】
【０００２】
従来、スケルチ手段を備えた単一チャンネル増幅器としては、例えば特許文献１に開示されたものがある。特許文献１の技術によれば、様々なチャンネルのテレビジョン信号が利得可変増幅部において増幅される。この利得可変増幅部の出力信号から所望のチャンネルの信号のみを帯域通過フィルタが選択する。このフィルタの出力に応じて利得可変増幅部の利得を自動利得制御回路が制御する。また、上記帯域通過フィルタの出力側には、スイッチング部が設けられている。帯域通過フィルタの出力に所望のチャンネルの信号が不存在の時、スイッチング部をスケルチ回路が開放する。
【先行技術文献】
【特許文献】
【０００３】
【特許文献１】実公平５−２２９７５号公報
【発明の概要】
【発明が解決しようとする課題】
【０００４】
特許文献１の技術によれば、所望のチャンネルのテレビジョン信号が存在している場合、自動利得制御回路によって可変利得増幅部の利得が調整され、所望のチャンネルのテレビジョン信号が予め定められたレベルで出力され、所望のチャンネルのテレビジョン信号が不存在の場合、スケルチ回路によってスイッチング部が開放され、スケルチ動作する。所望のチャンネルの信号が不存在の場合、自動利得制御回路によって可変利得増幅部の利得が最大とされ、その結果、所望のチャンネルと同一周波数のノイズのレベルが上昇し、このレベル上昇したノイズの影響を受け、スケルチ回路がスイッチング部を開放せず、スケルチ動作しないことがある。
【０００５】
本発明は、所望のチャンネルのテレビジョン信号が不存在の場合でも、スケルチが誤動作することを防止した単一チャンネル増幅器を提供することを目的とする。
【課題を解決するための手段】
【０００６】
本発明の一態様の単一チャンネル増幅器は、利得調整手段を有し、この利得調整手段には、所望チャンネルに隣接して不所望チャンネルが存在する複数チャンネルのテレビジョン信号が供給される。利得調整手段としては、例えばレベル調整手段、具体的には可変減衰手段を使用したり、可変利得増幅手段を使用したりすることができる。テレビジョン信号としては、例えば地上デジタルテレビジョン放送信号や、衛星放送信号及び衛星通信信号の一方または双方を中間周波信号に周波数変換した衛星放送中間周波信号及び衛星通信中間周波信号の一方または双方を使用することができる。利得調整手段は、自動利得制御信号に応じて利得を調整して、前記複数チャンネルのテレビジョン信号を出力する。利得調整手段から出力された複数チャンネルのテレビジョン信号のうち所望チャンネルのレベルを検出した所望チャンネルレベル検出信号を所望チャンネルレベル検出手段が、生成する。この所望チャンネルレベル検出信号が自動利得制御用基準信号に等しくなるように、自動利得制御手段が前記自動利得制御信号を生成して、前記利得調整手段に供給する。自動利得制御手段としては、所望チャンネルレベル検出手段からの所望チャンネルレベル検出信号と自動利得制御用基準信号との差に応じて自動利得制御信号を生成する誤差増幅手段を、備えるものとすることができる。前記利得調整手段の出力信号がスケルチ手段に供給され、スケルチ制御信号の供給に応じてスケルチ動作する。スケルチ手段としては、増幅手段を使用し、スケルチ制御信号の供給に応じて増幅動作を停止するものとしたり、利得調整手段の出力側とその後続の機器との間に直列にスイッチング部を接続し、スケルチ制御信号に応じてスイッチング部を開放させたり、利得調整手段の出力側と基準電位との間にスイッチング部を接続し、スケルチ制御信号に応じてスイッチング部を閉成したりするものを使用することができる。前記所望チャンネルレベル検出信号が、前記自動利得制御用基準信号よりも値を小さく設定した所望チャンネルスケルチ用基準信号よりも小さいとき、所望チャンネルスケルチ制御手段が、前記スケルチ制御信号を前記スケルチ手段に供給して、前記スケルチ手段に前記スケルチ動作させる。前記利得調整手段から出力された複数チャンネルのテレビジョン信号のうち不所望チャンネルのレベルを検出した不所望チャンネルレベル検出信号を、不所望チャンネルレベル検出手段が生成する。前記不所望チャンネルレベル検出信号が、前記所望チャンネルスケルチ用基準信号及び前記自動利得制御用基準信号よりも値を大きく設定した不所望チャンネルスケルチ用基準信号よりも大きいとき、不所望チャンネルスケルチ制御手段が、前記スケルチ制御信号を生成して、前記スケルチ手段に前記スケルチ動作させる。
【０００９】
このように構成すると、所望チャンネルのレベルが所望チャンネルスケルチ用基準信号よりも小さいときには、スケルチ手段を動作させることができる。このような所望チャンネルスケルチ制御手段が設けられており、この所望チャンネルスケルチ制御手段が、自動利得制御手段の動作によって誤動作する可能性がある場合でも、不所望チャンネルスケルチ制御手段の動作によって所望チャンネルが不存在の場合でも、確実にスケルチ動作させることができる。
【００１０】
この場合、前記利得調整手段の出力側に前記所望チャンネル及び前記不所望チャンネルのテレビジョン信号を抽出する第１のフィルタ手段が設けられ、第１のフィルタ手段の出力信号が不所望チャンネルレベル検出手段に供給されている。第１のフィルタ手段の出力から前記所望チャンネルテレビジョン信号を抽出する第２のフィルタ手段が設けられ、第２のフィルタ手段の出力信号が所望チャンネルレベル検出手段に供給されている。
【００１１】
このように構成すると、簡単な構成で、不所望のチャンネルのレベルも所望のチャンネルのレベルも、それぞれ検出することができる。
【００１２】
前記利得調整手段の出力信号が中間周波信号に周波数変換された後に、第１のフィルタ手段に供給され、第１のフィルタ手段の出力信号が増幅手段によって増幅された後、前記不所望チャンネルレベル検出手段及び前記所望チャンネルレベル検出手段に供給される。なお、第２のフィルタ手段の出力信号を再度周波数変換して、元の周波数に戻すこともできる。
【００１３】
このように中間周波信号に周波数変換した状態で、所望チャンネルテレビジョン信号や不所望チャンネルテレビジョン信号のレベルを検出することができるので、安定した状態でレベルを検出することができる。
【発明の効果】
【００１４】
以上のように、本発明によれば、所望チャンネルのテレビジョン信号が不存在な状態で、自動利得制御が動作していても、確実にスケルチを動作させることができる。
【図面の簡単な説明】
【００１５】
【図１】本発明の一実施形態の単一チャンネル増幅器のブロック図である。
【図２】図１の単一チャンネル増幅器を用いたヘッドエンドの一部のブロック図である。
【図３】図１の単一チャンネル増幅器における自動利得制御が行われている状態と、不所望チャンネルスケルチが動作している状態との中間周波信号のレベルを示す図である。
【発明を実施するための形態】
【００１６】
本発明の一実施形態の単一チャンネル増幅器２は、例えば図２に示すようなヘッドエンド４において使用される。ヘッドエンド４では、複数チャンネルのテレビジョン信号、例えば地上デジタルテレビジョン放送信号が分配器６に供給され、複数、例えば各チャンネルの数と同数の単一チャンネル増幅器２に供給される。各単一チャンネル増幅器２には、それぞれ特定の１つのチャンネルの地上デジタルテレビジョン放送信号が割り当てられており、各単一チャンネル増幅器２は、割り当てられている地上デジタルテレビジョン放送信号をそれぞれ所定のレベルに増幅して、合成器８に供給する。合成器８では、それぞれ一定のレベルに増幅された各地上デジタルテレビジョン放送信号を合成して、出力する。
【００１７】
単一チャンネル増幅器２は、図１に示すように、入力端子１０を有し、これには分配器６から複数チャンネルの地上デジタルテレビジョン放送信号が供給されている。複数チャンネルの地上デジタルテレビジョン放送信号は、直流阻止コンデンサ１２を介して可変フィルタ１６に供給される。可変フィルタ１６は、この単一チャンネル増幅器で増幅しようとする所望のチャンネルと、このチャンネルに隣接する複数、例えば２つの不所望のチャンネルとの地上デジタルテレビジョン放送信号を選択する。この可変フィルタ１６の出力は、増幅段１８によって増幅される。増幅段１８の出力は、利得調整手段、例えばゲインコントローラ２０によってレベル調整が行われる。
【００１８】
可変フィルタ１６の通過帯域は、マイクロコンピュータ２８によって決定され、その決定された通過帯域とするために、ＤＡ変換器３０を介して可変フィルタ１６に通過帯域変更信号が供給される。マイクロコンピュータ２８は、入出力チャンネル設定スイッチ３２によって設定された入出力チャンネルに従って、可変フィルタ１６の通過帯域を決定する。
【００１９】
ゲインコントローラ２０の出力は、第１周波数変換手段、例えば周波数変換器３４に供給される。周波数変換器３４には第１局部発振手段、例えば局部発振器３６からの第１局部発振信号が供給され、ゲインコントローラ２０の出力を周波数変換する。第１局部発振信号の周波数は、ゲインコントローラ２０の出力中の所望チャンネルの地上デジタルテレビジョン放送信号が所定の中間周波数となるように選択されている。周波数変換器３４からの中間周波信号は、図３（ａ）及び（ｂ）に示すように、所望のチャンネルの地上デジタルテレビジョン放送信号に対応する所望中間周波信号Ｄ及び所望の地上デジタルテレビジョン放送信号に隣接する２つの不所望の地上デジタルテレビジョン放送信号に対応する不所望中間周波信号Ｕを含んでいる。
【００２０】
第１局部発振信号の周波数は、ＰＬＬ回路３８によって制御されるが、入出力チャンネル設定スイッチ３２によって入出力チャンネルが設定されているマイクロコンピュータ２８からの指示に基づいてＰＬＬ回路３８は、第１局部発振信号の周波数制御を行う。
【００２１】
周波数変換器３４からの中間周波信号は、第１のフィルタ、例えばバンドパスフィルタ４０に供給され、ここで所望中間周波信号Ｄ及び不所望中間周波信号Ｕ以外の周波数成分が除去される。バンドパスフィルタ４０は、可変フィルタ１６よりも選択性が高いものである。バンドパスフィルタ４０の出力は、増幅段４２で増幅され、第２のフィルタ手段、例えばＳＡＷフィルタ４４に供給される。ＳＡＷフィルタ４４において所望中間周波信号Ｄのみが抽出される。所望中間周波信号Ｄは、増幅段４６で増幅された後、ＳＡＷフィルタ４８で再度所望中間周波信号Ｄのみが抽出され、増幅段５０で増幅される。
【００２２】
増幅段５０から出力された所望中間周波信号Ｄは、１分岐器５２及びローパスフィルタ５４を介して第２の周波数変換手段、例えば周波数変換器５６に供給される。周波数変換器５６には、第２局部発振信号が第２局部発振手段、例えば局部発振器５８から供給されており、周波数変換器５６は所望中間周波信号Ｄを元の所望の地上デジタルテレビジョン放送信号に周波数変換する。
【００２３】
局部発振器５８の局部発振信号の周波数は、ＰＬＬ回路６０によって制御され、この制御をＰＬＬ回路６０はマイクロコンピュータ２８からの指示に従って行う。なお、ＰＬＬ回路６０とＰＬＬ回路３８とには、基準信号発振器６２から基準信号が供給されている。
【００２４】
周波数変換器５６から出力された所望のチャンネルの地上デジタルテレビジョン放送信号は、可変フィルタ６６に供給され、不要な周波数成分が除去された後、スケルチ手段、例えば増幅段６８及びゲインコントロール回路７０を介して可変フィルタ７４に供給される。可変フィルタ６６及び７４は、上述した可変フィルタ１６と同一のものである。
【００２５】
可変フィルタ７４で、不要な信号成分が除去された後、所望のチャンネルの地上デジタルテレビジョン放送信号は、スケルチ手段、例えば増幅段７６に供給される。可変フィルタ６６及び７４の通過帯域はＤＡ変換器７８によって制御され、ＤＡ変換器７８はマイクロコンピュータ２８に指示された通過帯域となるように、可変フィルタ６６及び７４に通過帯域制御信号を供給している。
【００２６】
増幅段７６の出力は、ハイパスフィルタ７９によって不要な周波数成分が除去された後、直流阻止コンデンサ８０を介して出力端子８２に供給され、出力端子８２から合成器８に供給される。
【００２７】
１分岐器５２の分岐出力、即ち増幅された所望中間周波信号Ｄは、増幅段８６によって増幅された後、所望チャンネルレベル検出手段、例えば検波器８８に供給され、所望中間周波信号Ｄのレベルが検出される。この検波器８８の検波信号は、自動利得制御手段、例えば誤差増幅器９０に供給される。誤差増幅器９０には、所望チャンネル自動利得制御用基準信号源９２からの所望チャンネル自動利得制御用基準信号も供給されており、誤差増幅器９０は両者の差を表す誤差信号をゲインコントローラ２０に供給する。これによってゲインコントローラ２０がその利得を調整し、誤差増幅器９０に供給される所望中間周波信号Ｄのレベルが、所望チャンネル自動利得制御用基準信号に等しいものに調整される。この自動利得制御が行われている状態を図３（ａ）に示す。
【００２８】
検波器８８の検波信号は、所望チャンネルスケルチ制御手段、例えば比較器９３にも供給される。比較器９３には所望チャンネルスケルチ用基準信号源９４から所望チャンネルスケルチ用基準信号が供給されている。この所望チャンネルスケルチ用基準信号は、所望チャンネル自動利得制御用基準信号よりも値の小さいものである。比較器９３は、検波器８８の検波信号が所望チャンネルスケルチ用基準信号よりも小さいとき、スケルチ信号を増幅段６８、７６及びゲインコントローラ７０に供給する。これによって、増幅段６８及び７６は増幅を停止し、かつゲインコントローラ７０は、そのゲインを最小にする。即ち、増幅段６８、７６及びゲインコントローラ７０がスケルチ動作する。
【００２９】
ところで、所望の地上デジタルテレビジョン放送信号が、例えば深夜等に停波した場合、検波器８８の検波信号は最低の値となるので、誤差増幅器９０は、ゲインコントローラ２０のゲインが最大となるように誤差信号をゲインコントローラ２０に供給する。その結果、図３（ｂ）に示すように、所望の地上デジタルテレビジョン放送信号の周波数帯域に存在するノイズが大きく増幅される。このノイズが、所望チャンネルスケルチ用基準信号よりも大きくなると、比較器９３はスケルチ信号を発生せず、増幅段６８、７６及びゲインコントローラ７０がスケルチ動作しないことがある。
【００３０】
この問題を解決するために、増幅段４２の出力信号が不所望チャンネルレベル検出手段、例えば検波器９６に供給されている。増幅段４２の出力信号は、図３（ａ）及び（ｂ）に示すように所望中間周波信号Ｕ及び不所望中間周波信号Ｄを含むものであり、検波器９６は、入力されている所望中間周波信号Ｕ及び不所望中間周波信号Ｄのうちのピークを検出するように構成されている。即ち、検波器９６はピーク検波手段に構成されている。所望チャンネルの地上デジタルテレビジョン放送信号が停波しているとき、自動利得制御が行われているので、増幅段４２の出力信号には、図３（ｂ）に示すように不所望中間周波信号Ｕが大きく増幅されているものが含まれている。検波器９６は、この不所望中間周波信号Ｕのピークを検出している。
【００３１】
この検波器９６の検波信号は、不所望チャンネルスケルチ制御手段、例えば比較器９８に供給される。比較器９８には、不所望チャンネルスケルチ用基準信号源１００からの不所望チャンネルスケルチ用基準信号が供給されている。この不所望チャンネルスケルチ用基準信号は、図３（ａ）に示すように所望の地上デジタルテレビジョン放送信号が存在する場合における不所望中間周波信号のレベルよりも大きく設定されている。さらに、同図（ｂ）に示すように、不所望チャンネルスケルチ用基準信号は、所望の地上デジタルテレビジョン放送信号が存在するときの不所望チャンネル中間周波信号のレベルよりも小さく設定されている。不所望チャンネルスケルチ用基準信号は、所望チャンネルスケルチ用基準信号よりも大きい。そして、比較器９８は、検波器９６の検波信号が不所望チャンネルスケルチ基準信号よりも大きいときに、スケルチ信号を、増幅段６８、７６及びゲインコントローラ７０に供給し、これらにスケルチ動作をさせる。従って、所望チャンネルの地上デジタルテレビジョン放送信号が不存在の場合に、確実にスケルチ動作を行うことができる。また、所望中間周波信号Ｄが存在している場合には、検波器９６の検波信号は不所望チャンネルスケルチ基準信号よりも小さいので、スケルチ動作することはない。
【００３２】
上記の実施形態では、入力チャンネルと出力チャンネルとを同じ周波数帯としたが、異なる周波数帯とすることもできるし、或いは周波数変換を行わずに、単に増幅段１８、４２、４６、５０、６８、７６によって増幅するように構成することもできる。また、上記の実施形態では、地上デジタルテレビジョン放送信号を使用したが、これに限ったものではなく、例えば衛星放送中間周波信号や衛星通信中間周波信号を使用することもできる。
【００３３】
また、スケルチ手段として増幅段６８、７６及びゲインコントローラ７０を使用したが、これらに限ったものではなく、例えばゲインコントローラ７０を除去し、増幅段６８または７６のみをスケルチ信号が供給されたときスケルチ動作するように構成することもできる。或いは逆に増幅段６８、７６をスケルチ動作しないように構成し、ゲインコントローラ７０のみでスケルチ動作するように構成することもできる。或いは、スケルチ動作しないように増幅段６８、７６を構成し、例えば増幅段７６とハイパスフィルタ７８との間に開閉スイッチを設け、スケルチ信号が発生していないとき、開閉スイッチを閉じておき、スケルチ信号が発生したとき、開放するように構成することもできる。或いは、増幅段７６の出力側と基準電位、例えば接地電位との間に開閉スイッチを設け、スケルチ信号が発生していないとき開閉スイッチを開放しておき、スケルチ信号が発生したとき、開閉スイッチを閉じるように構成することもできる。
【００３４】
上記の実施形態では、検波器８８の検波信号を自動利得制御と所望チャンネルスケルチとに共用したが、自動利得制御用の検波器と、所望チャンネルスケルチ用の検波器とを別個に設けることもできる。また、上記の実施形態では、所望チャンネルスケルチと不所望チャンネルスケルチとに同一のスケルチ手段である増幅段６８、７６及びゲインコントローラ７０とを使用したが、所望チャンネルスケルチ用のスケルチ手段と、不所望チャンネルスケルチ用スケルチ手段とを別個に設けることもでき、例えば増幅段６８及びゲインコントローラ７０とを所望チャンネルスケルチに使用し、増幅段７６を不所望チャンネルスケルチに使用することもできる。
【符号の説明】
【００３５】
２  単一チャンネル増幅器
２０  ゲインコントローラ（利得調整手段）
９０  誤差増幅器（自動利得制御手段）
６８  ７６  増幅段（スケルチ手段）
７０  ゲインコントローラ（スケルチ手段）
９８  比較器（不所望チャンネルスケルチ制御手段）
【図１】
0005792543.tif 000002
【図２】
0005792543.tif 000003
【図３】
0005792543.tif 000004